(57)【要約】【課題】マクロセル内に複数のスモールセルが密に配置される無線通信システムに適した無線通信方法を提供できる。【解決手段】本発明の無線通信方法は、ユーザ端末（ＵＥ）において、複数のスモールセルにおける無線品質を測定する工程と、報告条件が満たされる場合、測定結果を含む測定報告を送信する工程と、を有し、前記報告条件は、前記複数のスモールセルにおける無線品質の測定値に基づく比と、所定閾値との比較結果に基づいて定められる。【選択図】図１０
2014187630.tif 000002
【特許請求の範囲】
【請求項１】
マクロセルと重複して複数のスモールセルが配置される無線通信システムにおいて用いられるユーザ端末であって、
前記複数のスモールセルにおける無線品質を測定する測定部と、
報告条件が満たされる場合、前記測定部による測定結果を含む測定報告を送信する送信部と、を具備し、
前記報告条件は、前記複数のスモールセルにおける無線品質の測定値に基づく比と、所定閾値との比較結果に基づいて定められることを特徴とするユーザ端末。
【請求項２】
前記報告条件は、前記複数のスモールセルにおける無線品質の測定値のうち、最も良い測定値と２番目以降の測定値の和との比と、所定閾値との比較結果に基づいて定められることを特徴とする請求項１に記載のユーザ端末。
【請求項３】
前記報告条件は、前記複数のスモールセルにおける無線品質の測定値のうち、ｉ（ｉ≧２）番目に良い測定値とｉ＋１番目以降の測定値の和との比と、所定閾値との比較結果に基づいて定められることを特徴とする請求項１に記載のユーザ端末。
【請求項４】
前記報告条件は、前記複数のスモールセルにおける無線品質の測定値のうち、ｉ（ｉ≧２）番目に良い測定値と最も良い測定値との比と、所定閾値との比較結果に基づいて定められることを特徴とする請求項１に記載のユーザ端末。
【請求項５】
前記報告条件は、前記複数のスモールセルにおける無線品質の測定値のうち、ｉ（ｉ≧２）番目に良い測定値と前記複数のスモールセルの測定値の和との比と、所定閾値との比較結果に基づいて定められることを特徴とする請求項１に記載のユーザ端末。
【請求項６】
前記報告条件は、前記複数のスモールセルにおける無線品質の測定値のうち、ｉ（ｉ≧２）番目以降の測定値の和とｉ＋１番目以降の測定値の和との比と、所定閾値との比較結果に基づいて定められることを特徴とする請求項１に記載のユーザ端末。
【請求項７】
前記測定部は、前記複数のスモールセル間で直交又は擬似直交する参照信号を用いて、前記無線品質を測定することを特徴とする請求項１から請求項６のいずれかに記載のユーザ端末。
【請求項８】
マクロセルと重複して複数のスモールセルが配置される無線通信システムにおいて、前記マクロセルを形成する無線基地局であって、
報告条件が満たされたユーザ端末から、前記複数のスモールセルにおける無線品質の測定結果を含む測定報告を受信する受信部と、
前記測定報告に基づいて、前記ユーザ端末が接続するスモールセルを選択する選択部と、を具備し、
前記報告条件は、前記複数のスモールセルにおける無線品質の測定値に基づく比と、所定閾値との比較結果に基づいて定められることを特徴とする無線基地局。
【請求項９】
マクロセルと重複して複数のスモールセルが配置される無線通信システムにおける無線通信方法であって、
ユーザ端末において、前記複数のスモールセルにおける無線品質を測定する工程と、報告条件が満たされる場合、測定結果を含む測定報告を送信する工程と、を有し、
前記報告条件は、前記複数のスモールセルにおける無線品質の測定値に基づく比と、所定閾値との比較結果に基づいて定められることを特徴とする無線通信方法。
【請求項１０】
前記マクロセルを形成する無線基地局において、前記ユーザ端末から、前記測定報告を受信する工程と、前記測定報告に基づいて、前記ユーザ端末が接続するスモールセルを選択する工程と、を有することを特徴とする請求項９に記載の無線通信方法。
【発明の詳細な説明】
【技術分野】
【０００１】
本発明は、マクロセルとスモールセルとの少なくとも一部が重複するように配置される次世代移動通信システムにおけるユーザ端末、無線基地局及び移動通信方法に関する。
【背景技術】
【０００２】
ＬＴＥ（Long  Term  Evolution）やＬＴＥの後継システム（例えば、ＬＴＥアドバンスト、ＦＲＡ（Future  Radio  Access）、４Ｇなどともいう）では、半径数百メートルから数キロメートル程度の相対的に大きいカバレッジを有するマクロセル内に、半径数メートルから数十メートル程度の相対的に小さいカバレッジ有するスモールセル（ピコセル、フェムトセルなどを含む）が配置される無線通信システム（例えば、ＨｅｔＮｅｔ（Heterogeneous  Network）ともいう）が検討されている（例えば、非特許文献１）。
【０００３】
かかる無線通信システムでは、マクロセルとスモールセルとの双方で同一の周波数帯を用いるシナリオ（例えば、co-channelともいう）や、マクロセルとスモールセルとで異なる周波数帯を用いるシナリオ（例えば、separate  frequencyともいう）が検討されている。具体的には、後者のシナリオでは、マクロセルにおいて相対的に低い周波数帯（例えば、２ＧＨｚ）を用い、スモールセルにおいて相対的に高い周波数帯（例えば、３．５ＧＨｚや１０ＧＨｚ）を用いることも検討されている。
【先行技術文献】
【非特許文献】
【０００４】
【非特許文献１】3GPP  TR  36.814“E-UTRA  Further  advancements  for  E-UTRA  physical  layer  aspects”
【発明の概要】
【発明が解決しようとする課題】
【０００５】
マクロセル内にスモールセルが配置される無線通信システムでは、更なる容量（スループット）の増大を図るため、複数のスモールセルを密に配置すること（例えば、Dense  Small  Cellともいう）が想定される。
【０００６】
本発明は、かかる点に鑑みてなされたものであり、マクロセル内に複数のスモールセルが密に配置される無線通信システムに適したユーザ端末、無線基地局及び無線通信方法を提供することを目的とする。
【課題を解決するための手段】
【０００７】
本発明に係る無線通信方法は、マクロセルと重複して複数のスモールセルが配置される無線通信システムにおける無線通信方法であって、ユーザ端末において、前記複数のスモールセルにおける無線品質を測定する工程と、報告条件が満たされる場合、測定結果を含む測定報告を送信する工程と、を有し、前記報告条件は、前記複数のスモールセルにおける無線品質の測定値に基づく比と、所定閾値との比較結果に基づいて定められることを特徴とする。
【発明の効果】
【０００８】
本発明によれば、マクロセル内に複数のスモールセルが密に配置される無線通信システムに適したユーザ端末、無線基地局及び無線通信方法を提供できる。
【図面の簡単な説明】
【０００９】
【図１】マクロセルとスモールセルとで異なる周波数帯を用いた無線通信システム（separate  frequency）の概念図である。
【図２】密に配置されるスモールセル（Dense  Small  Cell）の説明図である。
【図３】スモールセル間のロードバランスの説明図である。
【図４】ロードバランスが適用されるスモールセルの配置例を示す図である。
【図５】本発明の第１態様に係る報告条件の説明図である。
【図６】本発明の第２態様に係る報告条件の説明図である。
【図７】本発明の第３態様に係る報告条件の説明図である。
【図８】本発明の第４態様に係る報告条件の説明図である。
【図９】本発明の第５態様に係る報告条件の説明図である。
【図１０】本発明の無線通信方法の詳細動作を示すシーケンス図である。
【図１１】本実施の形態に係る無線通信システムの一例を示す概略図である。
【図１２】本実施の形態に係るユーザ端末の構成を示すブロック図である。
【図１３】本実施の形態に係るマクロ基地局の構成を示すブロック図である。
【図１４】本実施の形態に係るスモール基地局の構成を示すブロック図である。
【発明を実施するための形態】
【００１０】
図１は、マクロセルとスモールセルとで異なる周波数帯を用いた無線通信システム（separate  frequency）の概念図である。例えば、図１に示す無線通信システムでは、例えば、２ＧＨｚ、８００ＭＨｚなどの相対的に低い周波数（キャリア）Ｆ１が用いられるマクロセルＭと、例えば、３．５ＧＨｚなどの相対的に高い周波数（キャリア）Ｆ２が用いられるスモールセルＳとが地理的に重複して配置される。
【００１１】
図１に示す無線通信システムは、マクロセルＭを形成する無線基地局（以下、マクロ基地局という）ＭｅＮＢと、スモールセルＳを形成する無線基地局（以下、スモール基地局という）ＳｅＮＢと、マクロ基地局ＭｅＮＢとスモール基地局ＳｅＮＢと通信するユーザ端末ＵＥとを含んで構成される。
【００１２】
また、図１に示すように、マクロ基地局ＭｅＮＢ（マクロセルＭ）とスモール基地局ＳｅＮＢ（スモールセルＳ）とは、Ｘ２インターフェースなどの相対的に低速（中遅延）の回線（Non-Ideal  backhaul）で接続されてもよいし、光ファイバなどの相対的に高速（低遅延）の回線（Ideal  backhaul）で接続されてもよい。また、スモール基地局ＳｅＮＢ（スモールセルＳ）間も、Ｘ２インターフェースなどの相対的に低速（中遅延）の回線（Non-Ideal  backhaul）で接続されてもよいし、光ファイバなどの相対的に高速（低遅延）の回線（Ideal  backhaul）で接続されてもよい。尚、マクロ基地局ＭｅＮＢとスモール基地局ＳｅＮＢが光ファイバで接続される場合、スモール基地局ＳｅＮＢは、マクロ基地局ＭｅＮＢに接続するRemote  Radio  Head局（ＲＲＨ局）であってもよい。
【００１３】
図２は、密に配置されるスモールセル（Dense  Small  Cell）の説明図である。マクロセルＭの周波数Ｆ１よりも高い周波数Ｆ２を用いるスモールセルＳでは、伝搬特性が悪化するため、セルサイズの小さいセルを用いた運用が行われる。この場合、図２に示すように、スモールセルＳを密に配置することで、単位面積あたりの送信機会の増大を実現し、更なる容量（スループット）の増加を図ることが検討されている。
【００１４】
図２に示すように、スモールセルＳが密に配置される場合、密に配置されたスモールセルＳ間の干渉が大きくなることが想定される。特に、ビルなどの障害物がない見通し環境下においては、近くのスモールセルＳからの受信電力が大きくなるため、近くのスモールセルＳからの干渉による影響が大きくなる。
【００１５】
また、図２に示すように、スモールセルＳが密に配置される場合、１スモールセルＳあたりのユーザ端末ＵＥの数やトラヒックが大きく変動することが想定される。マクロセルＭは相対的に大きいカバレッジを有するため、１マクロセルＭあたりユーザ端末ＵＥの数やトラヒックはある程度平均化される。一方、スモールセルＳは局所的なカバレッジしか有しないため、マクロセルＭと比べて平均化の影響が小さい。このため、１スモールセルＳあたりのユーザ端末ＵＥの数やトラヒックが大きく変動することが予想される。
【００１６】
そこで、スモールセルＳ間でユーザ分布やトラヒック分布に偏りがある場合（例えば、特定のスモールセルＳにユーザ端末ＵＥの数やトラヒックが集中する場合など）、最も良い無線品質を有するスモールセルＳ（ベストセル、最も近いセル）でなくとも、ユーザ端末ＵＥの数が少なく、高スループットが期待できるスモールセルＳにユーザ端末ＵＥを接続させる制御を行うこと（一般に、ロードバランス（Load  balancing）という）が望まれる。
【００１７】
図３は、スモールセル間のロードバランスの説明図である。例えば、図３Ａでは、スモールセルＳ１内のユーザ端末ＵＥ１−ＵＥ４の全てが、無線品質が最も良いスモール基地局ＳｅＮＢ１（スモールセルＳ１）に接続される。このため、スモール基地局ＳｅＮＢ１（スモールセルＳ１）にユーザ端末ＵＥの数やトラヒックが集中してしまう。
【００１８】
そこで、図３Ｂに示すように、スモールセルＳ１内のユーザ端末ＵＥ１−ＵＥ４の一部（ここでは、ユーザ端末ＵＥ３及びＵＥ４）を、無線品質が最も良いスモール基地局ＳｅＮＢ１ではなく、スモール基地局ＳｅＮＢ１に隣接するスモール基地局ＳｅＮＢ２（スモールセルＳ２）に接続させることが考えられる。
【００１９】
図３Ｂにおいて、ユーザ端末ＵＥ３及びＵＥ４におけるスモール基地局ＳｅＮＢ２からの無線品質は、スモール基地局ＳｅＮＢ１からの無線品質よりも悪いことが想定される。一方で、スモールセルＳ２には、他のユーザ端末ＵＥが存在しない。このため、ユーザ端末ＵＥ３及びＵＥ４がスモール基地局ＳｅＮＢ２（スモールセルＳ２）に接続することで、スモール基地局ＳｅＮＢ１に接続する場合よりも高いスループットが期待できる。また、スモール基地局ＳｅＮＢ１及びＳｅＮＢ２（スモールセルＳ１及びＳ２）間で負荷が分散される（load-balanced）。
【００２０】
以上のようなロードバランスを行う場合、ユーザ端末ＵＥは、最も良い無線品質を有するスモールセルＳだけではなく、隣接するスモールセルＳ（Neighbour  Cell）における無線品質を測定することが望まれる。例えば、図４に示す場合、ユーザ端末ＵＥは、スモールセルＳ３における無線品質だけでなく、隣接するスモールセルＳ１、Ｓ２、Ｓ４−Ｓ６における無線品質を測定することが望まれる。
【００２１】
一方で、ユーザ端末ＵＥが、スモール基地局ＳｅＮＢ１−ＳｅＮＢ５からの同期信号（プライマリ同期信号（ＰＳＳ）やセカンダリ同期信号（ＳＳＳ）など）やセル固有参照信号（ＣＲＳ：Cell-specific  Reference  Signal）を用いて、スモールセルＳ１−Ｓ６における無線品質を測定しようとしても、パイロット汚染（pilot  pollution）により、隣接するスモールセルを検出できない恐れがある。
【００２２】
ここで、パイロット汚染とは、ユーザ端末ＵＥに最も近いスモール基地局ＳｅＮＢ（図４では、ＳｅＮＢ３）からのパイロット信号（上述の同期信号（ＰＳＳ、ＳＳＳ）やＣＲＳを含む）のＳＩＮＲ（Signal-to-Interference-Noise-Ratio）が、隣接するスモール基地局ＳｅＮＢ（図４では、ＳｅＮＢ１、２、４−６）からのパイロット信号により劣化することをいう。ここで、かかるスモール基地局ＳｅＮＢ１、２、４−６からのパイロット信号は、スモール基地局ＳｅＮＢ３からのパイロット信号にとって干渉信号となる。
【００２３】
そこで、スモールセルＳが密に配置される場合、スモールセルＳ間で直交（又は、擬似直交）する測定用参照信号を用いて、スモールセルＳ１−Ｓ６における無線品質を測定することが検討されている。ここで、測定用参照信号は、チャネル状態測定用参照信号（ＣＳＩ−ＲＳ：Channel  State  Information  Reference  Signal）、ディスカバリー信号など、互いに直交又は擬似直交する信号であれば、どのような信号であってもよい。
【００２４】
ところで、一般に、ユーザ端末ＵＥは、セル（マクロセルＭ、スモールセルＳを含む）における無線品質を測定し、測定した無線品質を無線基地局（マクロ基地局ＭｅＮＢ、スモール基地局ＳｅＮＢを含む、ｅＮｏｄｅＢ（ｅＮＢ）ともいう）に報告する。無線基地局は、ユーザ端末ＵＥから報告された無線品質に基づいて、当該ユーザ端末ＵＥが接続すべきセル（具体的には、無線品質が最も良いセル）を決定する。
【００２５】
かかる無線品質の測定結果の報告は、測定報告（Measurement  report）とも呼ばれる。測定報告は、報告条件が満たされる場合（イベントがトリガされる場合）に、ユーザ端末ＵＥから送信されるのが一般的である。かかる測定報告は、「Event  Triggered  reporting」等と呼ばれる。
【００２６】
この報告条件（イベントトリガ）としては、例えば、隣接セル（Neighbour  cell）のＲＳＲＰ（Reference  Signal  Received  Power）がサービングセルのＲＳＲＰよりも良くなる場合（イベントＡ３）、隣接セルのＲＳＲＰが所定の閾値よりも良くなる場合（イベントＡ４）、サービングセルのＲＳＲＰが第１閾値よりも悪化し、隣接セルのＲＳＲＰが第２閾値よりも良くなる場合（イベントＡ５）などがある。
【００２７】
しかしながら、上述のロードバランスを行う場合、ユーザ端末ＵＥを、無線品質が最も良いスモールセルＳ（スモール基地局ＳｅＮＢ）ではなく、当該無線品質が最も良いスモールセルＳとは異なる別の隣接セルに接続させる必要がある。したがって、ユーザ端末ＵＥが、無線品質が最も良いスモールセルＳにユーザ端末ＵＥを接続させるのに適した報告条件（例えば、上述のイベントＡ３など）に基づいて測定報告を送信したとしても、スモールセルＳ間のロードバランスを適切に図ることができない恐れがある。
【００２８】
すなわち、「Event  Triggered  Reporting」とは、本質的に、無線基地局がHandoverなどの制御を行う上で最も適切なタイミングで、ユーザ端末ＵＥから無線基地局に、測定した無線品質を報告させるための動作であるが、現状のイベントには、ロードバランスを行う上での最も適切なイベントは存在しない。
【００２９】
そこで、本発明者らは、マクロセルＭ内に複数のスモールセルＳが密に配置される無線通信システムにおいて、無線品質が最も良いスモールセルＳとは別の隣接セルにユーザ端末ＵＥを接続させる場合、あるいは、ロードバランスを行う場合に適した報告条件で測定報告を送信可能とすることで、スモールセルＳ間のロードバランスを図るという着想を得て、本発明に至った。
【００３０】
本発明に係る無線通信方法では、ユーザ端末ＵＥは、複数のスモールセルＳにおける無線品質を測定し、報告条件が満たされた場合、測定結果を含む測定報告を送信する。ここで、報告条件は、複数のスモールセルＳにおける無線品質の測定値に基づく比と、所定閾値との比較結果に基づいて定められる。
【００３１】
本発明に係る無線通信方法では、複数のスモールセルＳにおける無線品質の測定値そのものと所定閾値との比較結果ではなく、当該測定値に基づく比と所定閾値との比較結果に基づいて、報告条件が定められる。これにより、ユーザ端末ＵＥは、無線品質が最も良いスモールセルＳの隣接セルにユーザ端末ＵＥを接続させる場合に適したタイミングで測定報告を送信できる。この結果、スモールセルＳ間のロードバランスを図ることができる。
【００３２】
（報告条件）
図５−９を参照し、本発明の無線通信方法で用いられる報告条件を説明する。上述のように、報告条件は、複数のスモールセルＳにおける無線品質の測定値に基づく比（メトリック）と所定閾値（絶対値）との比較結果に基づいて定められる。
【００３３】
なお、図５−９では、スモールセルＳにおける無線品質として、スモール基地局ＳｅＮＢからの測定用参照信号の受信電力（ＲＳＲＰ：Reference  Signal  Received  Power）を用いるものとするが、これに限られない。スモールセルＳにおける無線品質としては、スモール基地局ＳｅＮＢからの測定用参照信号の受信品質（ＲＳＲＱ：Reference  Signal  Received  Quality、あるいは、ＳＩＮＲ：Signal−to−Interference  plus  Noise  power  Ratio、あるいは、ＳＮＲ：Signal-Noise  Ratio）などが用いられてもよいし、スモール基地局ＳｅＮＢとユーザ端末ＵＥとの間のパスロス（Path  loss）が用いられてもよい。
【００３４】
また、図５−９では、複数のスモールセルＳにおける無線品質の測定値に対して、無線品質が良い順に、１番目、２番目、３番目、…のように、番号が付けられるものとする。図５−９において、複数のスモールセルＳにおける無線品質の測定値のうち、１ｓｔＲＳＲＰは最も良い測定値、２ｎｄＲＳＲＰは２番目に良い測定値、３ｒｄＲＳＲＰは３番目に良い測定値、４ｔｈＲＳＲＰは４番目に良い測定値、以下同様、を示す。
【００３５】
また、図５−９では、複数のスモールセルＳにおける無線品質の測定値に基づく比（メトリック）が所定閾値を上回るか又は下回る場合に、報告条件が満たされる例を説明するが、これに限られない。当該比（メトリック）が所定閾値以上であるか又は以下である場合に、報告条件が満たされてもよい。また、当該比（メトリック）に、所定オフセットや所定パラメータなどが加えられてもよい。
【００３６】
（第１態様）
図５は、第１態様に係る報告条件の説明図である。第１態様に係る報告条件は、メトリック＃０と所定閾値との比較結果に基づいて定められる。ここで、メトリック＃０は、複数のスモールセルＳにおける無線品質の測定値のうち、最も良い測定値と２番目以降の測定値の和との比である。
【００３７】
例えば、スモールセルＳにおける無線品質としてＲＳＲＰが用いられる場合、メトリック＃０は、以下の式で表されてもよい。尚、以下の式は、真値を用いた計算である。
メトリック＃０＝１ｓｔＲＳＲＰ／
（２ｎｄＲＳＲＰ＋３ｒｄＲＳＲＰ＋４ｔｈＲＳＲＰ＋…）
尚、かかる式は、一般には、真値を用いた計算が行われるが、代わりに、ｄＢ値を用いた計算が行われてもよい。
【００３８】
また、図５において報告条件（Event  trigger）は、例えば、以下の場合に満たされてもよい。なお、所定閾値は、絶対値であり、ＲＲＣシグナリングなどにより変更されてもよい。尚、以下の判定は、真値で行われてもよいし、ｄＢ値で行われてもよい。
報告条件＃０−１：メトリック＃０が所定閾値を上回る場合
報告条件＃０−２：メトリック＃０が所定閾値を下回る場合
【００３９】
報告条件＃０−１が満たされる場合、最も良い測定値を有するスモールセルＳの中央部にユーザ端末ＵＥが位置すると考えられる。かかる場合、ユーザ端末ＵＥから測定報告を送信することで、当該ユーザ端末ＵＥを２番目以降の測定値を有するスモールセルＳに接続し難いことを通知できる。
【００４０】
また、通常のＳＩＮＲではなく、メトリック#０を用いる意義及び効果に関しても、以下に説明を行う。一般に、パイロット汚染を回避するために、複数のセルから送信されるパイロット信号を直交化させた場合、単純に、あるセルからのＳＩＮＲを測定した場合に、その他のセルからのパイロット信号は、ＳＩＮＲのＩの部分、すなわち、干渉信号としては計算されない。ここで、複数のセルからのパイロット信号は互いに直交するが、複数のセルからのデータ信号は互いに直交しない場合、データ信号という観点で、かかるＳＩＮＲは適切な指標とはならない。ここで、メトリック＃０を用いる場合、複数のセルから送信されるパイロット信号が互いに直交している場合で、かつ、複数のセルからのデータ信号が互いに直交しない場合でも、適切に、ＳＩＮＲ相当のメトリックで制御を行うことが可能となる。
【００４１】
報告条件＃０−２が満たされる場合、最も良い測定値を有するスモールセルＳのセル端にユーザ端末ＵＥが位置すると考えられる。かかる場合、ユーザ端末ＵＥから測定報告を送信することで、当該ユーザ端末ＵＥを２番目以降の測定値を有するスモールセルＳに接続し得ることを通知できる。尚、通常のＳＩＮＲではなく、メトリック＃０を用いる意義及び効果に関しては、上述の記載と同様であるため、省略する。
【００４２】
（第２態様）
図６は、第２態様に係る報告条件の説明図である。第２態様に係る報告条件は、メトリック＃１ｉ（ｉ≧２）と所定閾値との比較結果に基づいて定められる。ここで、メトリック＃１ｉ（ｉ≧２）は、複数のスモールセルＳにおける無線品質の測定値のうち、ｉ番目に良い測定値とｉ＋１番目以降の測定値の和との比である。メトリック＃１ｉ（ｉ≧２）では、最も良い測定値を有するスモールセルＳが除かれる。
【００４３】
例えば、スモールセルＳにおける無線品質としてＲＳＲＰが用いられる場合、メトリック＃１ｉ（ここでは、ｉ＝２、３とするが、４以上でもよい）は、以下の式で表されてもよい。以下、メトリック＃１２をメトリック＃１と表記し、メトリック＃１３をメトリック＃１＋と表記する。尚、以下の式は、真値を用いた計算である。
メトリック＃１  ＝２ｎｄＲＳＲＰ／（３ｒｄＲＳＲＰ＋４ｔｈＲＳＲＰ＋…）
メトリック＃１＋＝３ｒｄＲＳＲＰ／（４ｔｈＲＳＲＰ＋５ｔｈＲＳＲＰ＋…）
尚、かかる式は、一般には、真値を用いた計算が行われるが、代わりに、ｄＢ値を用いた計算が行われてもよい。尚、以下の判定は、真値で行われてもよいし、ｄＢ値で行われてもよい。
【００４４】
また、図６において報告条件（Event  trigger）は、例えば、以下の場合に満たされてもよい。なお、所定閾値は、絶対値であり、ＲＲＣシグナリングにより変更されてもよい。尚、以下の判定は、真値で行われてもよいし、ｄＢ値で行われてもよい。
報告条件＃１−１：メトリック＃１が所定閾値を上回る場合
報告条件＃１−２：メトリック＃１が所定閾値を下回る場合
報告条件＃１−３：メトリック＃１＋が所定閾値を上回る場合
報告条件＃１−４：メトリック＃１＋が所定閾値を下回る場合
【００４５】
報告条件＃１−１が満たされる場合、ユーザ端末ＵＥは、３番目以降の測定値を有するスモールセルＳと比べて、距離、あるいは、パスロスという観点で、２番目に良い測定値を有するスモールセルＳに十分近いと考えられる。かかる場合、ユーザ端末ＵＥから測定報告を送信することで、当該ユーザ端末ＵＥを２番目に良い測定値を有するスモールセルＳに接続し得ることを通知できる。尚、通常のＳＩＮＲではなく、メトリック＃１を用いる意義及び効果に関しては、上述のメトリック＃０に関する記載と同様であるため、省略する。
【００４６】
また、かかる第２態様においては、通常のＳＩＮＲを用いる場合で、かつ、パイロット汚染が存在する場合、メトリック＃１のように、信号電力の強いセルからの信号電力を除いた上で、ｉ番目に良いセルのＳと、ｉ＋１番目以降のセルを考慮したＩの比を正確に求めることが困難となる。すなわち、かかる第２態様においては、通常のＳＩＮＲではなく、メトリック＃１を用いる必要がある。
【００４７】
報告条件＃１−２が満たされる場合、ユーザ端末ＵＥは、３番目以降の測定値を有するスモールセルＳと比べて、距離、あるいは、パスロスという観点で、２番目に良い測定値を有するスモールセルＳに十分近いということはないと考えられる。かかる場合、ユーザ端末ＵＥから測定報告を送信することで、当該ユーザ端末ＵＥを２番目に良い測定値を有するスモールセルＳに接続し難いことを通知できる。尚、通常のＳＩＮＲではなく、メトリック＃１を用いる意義及び効果に関しては、上述の記載と同様であるため、省略する。
【００４８】
報告条件＃１−３が満たされる場合、ユーザ端末ＵＥは、４番目以降の測定値を有するスモールセルＳと比べて、距離、あるいは、パスロスという観点で、３番目に良い測定値を有するスモールセルＳに十分近いと考えられる。かかる場合、ユーザ端末ＵＥから測定報告を送信することで、当該ユーザ端末ＵＥを３番目に良い測定値を有するスモールセルＳに接続し得ることを通知できる。尚、通常のＳＩＮＲではなく、メトリック＃１＋を用いる意義及び効果に関しては、上述の記載と同様であるため、省略する。
【００４９】
報告条件＃１−４が満たされる場合、ユーザ端末ＵＥは、４番目以降の測定値を有するスモールセルＳと比べて、距離、あるいは、パスロスという観点で、３番目に良い測定値を有するスモールセルＳに十分近いということはないと考えられる。かかる場合、ユーザ端末ＵＥから測定報告を送信することで、当該ユーザ端末ＵＥを３番目に良い測定値を有するスモールセルＳに接続し難いことを通知できる。尚、通常のＳＩＮＲではなく、メトリック＃１＋を用いる意義及び効果に関しては、上述の記載と同様であるため、省略する。
【００５０】
なお、報告条件＃１−１乃至＃１−４は、メトリック＃１及び＃１＋のいずれか一方と所定閾値との比較結果に応じて満たされるが、メトリック＃１及び＃１＋のそれぞれと所定閾値との比較結果に応じて満たされてもよい。例えば、「メトリック＃１が第１閾値を上回り、かつ、メトリック＃１＋が第２閾値を上回る場合」などが報告条件として規定されてもよい。
【００５１】
（第３態様）
図７は、第３態様に係る報告条件の説明図である。第３態様に係る報告条件は、メトリック＃２ｉ（ｉ≧２）と所定閾値との比較結果に応じて満たされる。ここで、メトリック＃２ｉ（ｉ≧２）は、複数のスモールセルＳにおける無線品質の測定値のうち、ｉ（ｉ≧２）番目に良い測定値と最も良い測定値との比である。メトリック＃２ｉ（ｉ≧２）では、ｉ番目に良い測定値を有するスモールセルＳと最も良い測定値を有するスモールセルＳとの関係が示される。
【００５２】
例えば、スモールセルＳにおける無線品質としてＲＳＲＰが用いられる場合、メトリック＃２ｉ（ここでは、ｉ＝２、３とするが、４以上でもよい）は、以下の式で表されてもよい。以下、メトリック＃２２をメトリック＃２と表記し、メトリック＃２３をメトリック＃２＋と表記する。尚、以下の式は、真値を用いた計算である。
メトリック＃２  ＝２ｎｄＲＳＲＰ／１ｓｔＲＳＲＰ
メトリック＃２＋＝３ｒｄＲＳＲＰ／１ｓｔＲＳＲＰ
尚、かかる式は、一般には、真値を用いた計算が行われるが、代わりに、ｄＢ値を用いた計算が行われてもよい。尚、以下の判定は、真値で行われてもよいし、ｄＢ値で行われてもよい。
【００５３】
また、図７において報告条件（Event  trigger）は、例えば、以下の場合に満たされてもよい。なお、所定閾値は、絶対値であり、ＲＲＣシグナリングにより変更されてもよい。尚、以下の判定は、真値で行われてもよいし、ｄＢ値で行われてもよい。
報告条件＃２−１：メトリック＃２が所定閾値を上回る場合
報告条件＃２−２：メトリック＃２が所定閾値を下回る場合
報告条件＃２−３：メトリック＃２＋が所定閾値を上回る場合
報告条件＃２−４：メトリック＃２＋が所定閾値を下回る場合
【００５４】
報告条件＃２−１が満たされる場合、２番目に良い測定値を有するスモールセルＳは最も良い測定値を有するスモールセルＳに比較的近いと考えられる。かかる場合、ユーザ端末ＵＥから測定報告を送信することで、当該ユーザ端末ＵＥを２番目に良い測定値を有するスモールセルＳに接続し得ることを通知できる。尚、通常のＳＩＮＲではなく、メトリック＃２を用いる意義及び効果に関しては、上述のメトリック＃０〜＃１に関する記載と同様であるため、省略する。
【００５５】
報告条件＃２−２が満たされる場合、２番目に良い測定値を有するスモールセルＳは最も良い測定値を有するスモールセルＳに比較的遠いと考えられる。かかる場合、ユーザ端末ＵＥから測定報告を送信することで、当該ユーザ端末ＵＥを２番目に良い測定値を有するスモールセルＳに接続し難いことを通知できる。尚、通常のＳＩＮＲではなく、メトリック＃２を用いる意義及び効果に関しては、上述のメトリック＃０〜＃１に関する記載と同様であるため、省略する。
【００５６】
報告条件＃２−３が満たされる場合、３番目に良い測定値を有するスモールセルＳは最も良い測定値を有するスモールセルＳに比較的近いと考えられる。かかる場合、ユーザ端末ＵＥから測定報告を送信することで、当該ユーザ端末ＵＥを３番目に良い測定値を有するスモールセルＳに接続し得ることを通知できる。尚、通常のＳＩＮＲではなく、メトリック＃２を用いる意義及び効果に関しては、上述のメトリック＃０〜＃１に関する記載と同様であるため、省略する。
【００５７】
報告条件＃２−４が満たされる場合、３番目に良い測定値を有するスモールセルＳは最も良い測定値を有するスモールセルＳに比較的遠いと考えられる。かかる場合、ユーザ端末ＵＥから測定報告を送信することで、当該ユーザ端末ＵＥを３番目に良い測定値を有するスモールセルＳに接続し難いことを通知できる。尚、通常のＳＩＮＲではなく、メトリック＃２を用いる意義及び効果に関しては、上述のメトリック＃０〜＃１に関する記載と同様であるため、省略する。
【００５８】
なお、報告条件＃２−１乃至＃２−４は、メトリック＃２及び＃２＋のいずれか一方と所定閾値との比較結果に応じて満たされるが、メトリック＃２及び＃２＋のそれぞれと所定閾値との比較結果に応じて満たされてもよい。例えば、「メトリック＃２が第１閾値を上回り、かつ、メトリック＃２＋が第２閾値を上回る場合」などが報告条件として規定されてもよい。
【００５９】
（第４態様）
図８は、第４態様に係る報告条件の説明図である。第４態様に係る報告条件は、メトリック＃３ｉ（ｉ≧２）と所定閾値との比較結果に応じて満たされる。ここで、メトリック＃３ｉ（ｉ≧２）は、複数のスモールセルＳにおける無線品質の測定値のうち、ｉ番目に良い測定値と当該複数のスモールセルＳの測定値の和（あるいは、当該複数のスモールセルの測定値及び雑音電力の和）との比である。メトリック＃３ｉ（ｉ≧２）では、ｉ番目に良い測定値を有するスモールセルＳと全スモールセルＳの測定値の合計（あるいは、全スモールセルＳの測定値と雑音電力の合計）との関係が示される。
【００６０】
例えば、スモールセルＳにおける無線品質としてＲＳＲＰが用いられる場合、メトリック＃３ｉ（ここでは、ｉ＝２、３とするが、４以上でもよい）は、以下の式で表されてもよい。以下、メトリック＃３２をメトリック＃３と表記し、メトリック＃３３をメトリック＃３＋と表記する。なお、ＲＳＳＩ（Reference  Signal  Strength  Indicator）は、ユーザ端末ＵＥで測定される複数のスモールセルＳのＲＳＲＰと雑音電力の和と等しい。尚、ＲＳＳＩは、代わりに、ユーザ端末ＵＥで測定される複数のスモールセルＳのＲＳＲＰの和と定義されてもよい。尚、以下の式は、真値を用いた計算である。
メトリック＃３  ＝２ｎｄＲＳＲＰ／ＲＳＳＩ
メトリック＃３＋＝３ｒｄＲＳＲＰ／ＲＳＳＩ
尚、かかる式は、一般には、真値を用いた計算が行われるが、代わりに、ｄＢ値を用いた計算が行われてもよい。尚、以下の判定は、真値で行われてもよいし、ｄＢ値で行われてもよい。
【００６１】
また、図８において報告条件（Event  trigger）は、例えば、以下の場合に満たされてもよい。なお、所定閾値は、絶対値であり、ＲＲＣシグナリングにより変更されてもよい。尚、以下の判定は、真値で行われてもよいし、ｄＢ値で行われてもよい。
報告条件＃３−１：メトリック＃３が所定閾値を上回る場合
報告条件＃３−２：メトリック＃３が所定閾値を下回る場合
報告条件＃３−３：メトリック＃３＋が所定閾値を上回る場合
報告条件＃３−４：メトリック＃３＋が所定閾値を下回る場合
【００６２】
報告条件＃３−１が満たされる場合、ユーザ端末ＵＥは、２番目に良い測定値を有するスモールセルＳに比較的近いと考えられる。かかる場合、ユーザ端末ＵＥから測定報告を送信することで、当該ユーザ端末ＵＥを２番目に良い測定値を有するスモールセルＳに接続し得ることを通知できる。尚、通常のＳＩＮＲではなく、メトリック＃３を用いる意義及び効果に関しては、上述のメトリック＃０〜＃２に関する記載と同様であるため、省略する。
【００６３】
報告条件＃３−２が満たされる場合、ユーザ端末ＵＥは、２番目に良い測定値を有するスモールセルＳに比較的遠いと考えられる。かかる場合、ユーザ端末ＵＥから測定報告を送信することで、当該ユーザ端末ＵＥを２番目に良い測定値を有するスモールセルＳに接続し難いことを通知できる。尚、通常のＳＩＮＲではなく、メトリック＃３を用いる意義及び効果に関しては、上述のメトリック＃０〜＃２に関する記載と同様であるため、省略する。
【００６４】
報告条件＃３−３が満たされる場合、ユーザ端末ＵＥは、３番目に良い測定値を有するスモールセルＳに比較的近いと考えられる。かかる場合、ユーザ端末ＵＥから測定報告を送信することで、当該ユーザ端末ＵＥを３番目に良い測定値を有するスモールセルＳに接続し得ることを通知できる。尚、通常のＳＩＮＲではなく、メトリック＃３を用いる意義及び効果に関しては、上述のメトリック＃０〜＃２に関する記載と同様であるため、省略する。
【００６５】
報告条件＃３−４が満たされる場合、ユーザ端末ＵＥは、３番目に良い測定値を有するスモールセルＳに比較的遠いと考えられる。かかる場合、ユーザ端末ＵＥから測定報告を送信することで、当該ユーザ端末ＵＥを３番目に良い測定値を有するスモールセルＳに接続し難いことを通知できる。尚、通常のＳＩＮＲではなく、メトリック＃３を用いる意義及び効果に関しては、上述のメトリック＃０〜＃２に関する記載と同様であるため、省略する。
【００６６】
なお、報告条件＃３−１乃至＃３−４は、メトリック＃３及び＃３＋のいずれか一方と所定閾値との比較結果に応じて満たされるが、メトリック＃３及び＃３＋のそれぞれと所定閾値との比較結果に応じて満たされてもよい。例えば、「メトリック＃３が第１閾値を上回り、かつ、メトリック＃３＋が第２閾値を上回る場合」などが報告条件として規定されてもよい。
【００６７】
（第５態様）
図９は、第５態様に係る報告条件の説明図である。第５態様に係る報告条件は、メトリック＃４ｉ（ｉ≧２）と所定閾値との比較結果に応じて満たされる。ここで、メトリック＃４ｉ（ｉ≧２）は、複数のスモールセルＳにおける無線品質の測定値のうち、ｉ番目以降の測定値の和とｉ＋１番目以降の測定値の和との比である。
【００６８】
メトリック＃４ｉの意義について、以下に示す。メトリック＃４ｉの使い方、意義に関しては、基本的に、メトリック＃１と同様である。例えば、メトリック＃４２に関しては、２番目の測定値を持つセルが、３番目以降の測定値を持つセルに比べて、距離、あるいは、パスロスという観点で、ユーザ装置UEに対して十分に近いか否かを判定する。
【００６９】
ここで、メトリック＃２ｉに比べて、メトリック＃４ｉにおいては、分子に、共通の値（例えば、後述のメトリック＃４の場合には、「３rdＲＳＲＰ＋４ｔｈＲＳＲＰ＋５ｔｈＲＳＲＰ＋…」）が含まれているため、メトリックそのものの分散が小さくなり、より精度良く、閾値を設定可能である、というメリットがある。逆に言うと、メトリック＃２のようにメトリックそのものの分散が大きい場合、閾値が設定する範囲も大きくなり、結果として、精度の高い閾値の設定が困難となる。
【００７０】
例えば、スモールセルＳにおける無線品質としてＲＳＲＰが用いられる場合、メトリック＃４ｉ（ここでは、ｉ＝２、３とするが、４以上でもよい）は、以下の式で表されてもよい。以下、メトリック＃４２をメトリック＃４と表記し、メトリック＃４３をメトリック＃４＋と表記する。尚、以下の式は、真値を用いた計算である。
メトリック＃４  ＝
（２ｎｄＲＳＲＰ＋３ｒｄＲＳＲＰ＋４ｔｈＲＳＲＰ＋５ｔｈＲＳＲＰ＋…）／
（３ｒｄＲＳＲＰ＋４ｔｈＲＳＲＰ＋５ｔｈＲＳＲＰ＋…）
メトリック＃４＋＝
（３ｒｄＲＳＲＰ＋４ｔｈＲＳＲＰ＋５ｔｈＲＳＲＰ＋…）／
（４ｔｈＲＳＲＰ＋５ｔｈＲＳＲＰ＋…）
尚、かかる式は、一般には、真値を用いた計算が行われるが、代わりに、ｄＢ値を用いた計算が行われてもよい。尚、以下の判定は、真値で行われてもよいし、ｄＢ値で行われてもよい。
【００７１】
また、図９において報告条件（Event  trigger）は、例えば、以下の場合に満たされてもよい。なお、所定閾値は、絶対値であるものとするが、ＲＲＣシグナリングにより変更されてもよい。尚、以下の判定は、真値で行われてもよいし、ｄＢ値で行われてもよい。
報告条件＃４−１：メトリック＃４が所定閾値を上回る場合
報告条件＃４−２：メトリック＃４が所定閾値を下回る場合
報告条件＃４−３：メトリック＃４＋が所定閾値を上回る場合
報告条件＃４−４：メトリック＃４＋が所定閾値を下回る場合
【００７２】
報告条件＃４−１が満たされる場合、ユーザ端末ＵＥは、２番目に良い測定値を有するスモールセルＳからの干渉を大きく受ける（すなわち、２番目に良い測定値を有するスモールセルＳに近い）と考えられる。かかる場合、ユーザ端末ＵＥから測定報告を送信することで、当該ユーザ端末ＵＥを２番目に良い測定値を有するスモールセルＳに接続し得ることを通知できる。尚、通常のＳＩＮＲではなく、メトリック＃４を用いる意義及び効果に関しては、上述のメトリック＃０〜＃３に関する記載と同様であるため、省略する。
【００７３】
報告条件＃４−２が満たされる場合、ユーザ端末ＵＥは、３番目以降の測定値を有するスモールセルＳからの干渉を大きく受ける（すなわち、２番目に良い測定値を有するスモールセルＳは十分にユーザ装置ＵＥに近くない）と考えられる。かかる場合、ユーザ端末ＵＥから測定報告を送信することで、当該ユーザ端末ＵＥを２番目に良い測定値を有するスモールセルＳに接続し難いことを通知できる。尚、通常のＳＩＮＲではなく、メトリック＃４を用いる意義及び効果に関しては、上述のメトリック＃０〜＃３に関する記載と同様であるため、省略する。
【００７４】
報告条件＃４−３が満たされる場合、ユーザ端末ＵＥは、３番目に良い測定値を有するスモールセルＳからの干渉を大きく受ける（すなわち、３番目に良い測定値を有するスモールセルＳに近い）と考えられる。かかる場合、ユーザ端末ＵＥから測定報告を送信することで、当該ユーザ端末ＵＥを３番目に良い測定値を有するスモールセルＳに接続し得ることを通知できる。尚、通常のＳＩＮＲではなく、メトリック＃４を用いる意義及び効果に関しては、上述のメトリック＃０〜＃３に関する記載と同様であるため、省略する。
【００７５】
報告条件＃４−４が満たされる場合、ユーザ端末ＵＥは、４番目以降の測定値を有するスモールセルＳからの干渉を大きく受ける（すなわち、３番目に良い測定値を有するスモールセルＳは十分にユーザ装置UEに近くない）と考えられる。かかる場合、ユーザ端末ＵＥから測定報告を送信することで、当該ユーザ端末ＵＥを３番目に良い測定値を有するスモールセルＳに接続し難いことを通知できる。尚、通常のＳＩＮＲではなく、メトリック＃４を用いる意義及び効果に関しては、上述のメトリック＃０〜＃３に関する記載と同様であるため、省略する。
【００７６】
（動作）
図１０を参照し、本発明に係る無線通信方法の動作を説明する。なお、図１０では、上述の第１態様−第５態様に係る報告条件のいずれが用いられてもよい。また、図１０では、図４に示すように、スモールセルＳ１−Ｓ６（スモール基地局ＳｅＮＢ１−ＳｅＮＢ６）が配置される場合を想定するが、これに限られない。また、図４では、スモールセルＳ１−Ｓ６と重複するようにマクロセルＭ（不図示）が配置されるものとするが、これに限られない。また、マクロセルＭ及びスモールセルＳ（マクロ基地局ＭｅＮＢ及びスモール基地局ＳｅＮＢ）は、それぞれ、送信ポイント（Transmission  point）などであってもよい。
【００７７】
図１０に示すように、ユーザ端末ＵＥは、スモールセルＳ１−Ｓ６それぞれにおける無線品質を測定する（ステップＳ１０１）。具体的には、ユーザ端末ＵＥは、スモール基地局ＳｅＮＢ１−ＳｅＮＢ６から送信される測定用参照信号を用いて、スモールセルＳ１−Ｓ６における無線品質を測定する。
【００７８】
上述のように、測定用参照信号は、例えば、チャネル状態測定用参照信号（ＣＳＩ−ＲＳや、ディスカバリー信号などであるが、これに限られない。測定用参照信号は、スモールセルＳ間で互いに直交又は擬似直交する信号であればよい。また、スモールセルＳにおける無線品質は、測定用参照信号の受信電力（例えば、ＲＳＲＰ）であってもよいし、測定用参照信号の受信品質（例えば、ＲＳＲＱ、ＳＩＮＲ、ＳＮＲなど）やパスロスであってもよい。
【００７９】
ユーザ端末ＵＥは、報告条件が満たされるか否かを判定する（ステップＳ１０２）。ステップＳ１０２において、ユーザ端末ＵＥは、第１−第５態様に係る報告条件（図５−９参照）のいずれを用いてもよい。なお、ユーザ端末ＵＥで用いられる報告条件やメトリックは、マクロ基地局ＭｅＮＢからＲＲＣシグナリングにより通知されてもよい。
【００８０】
報告条件が満たされる場合、ユーザ端末ＵＥは、ステップＳ１０１における測定結果を示す測定報告（Measurement  Report）を、マクロ基地局ＭｅＮＢに対して送信する（ステップＳ１０３）。
【００８１】
マクロ基地局ＭｅＮＢは、ユーザ端末ＵＥからの測定報告に基づいて、ユーザ端末ＵＥが接続すべきスモールセルＳを選択する（ステップＳ１０４）。具体的には、マクロ基地局ＭｅＮＢは、各スモールセルＳにおける無線品質の測定値、ユーザ端末ＵＥの数、トラヒックなどの少なくとも一つに基づいて、ユーザ端末ＵＥが接続すべきスモールセルＳを選択する。
【００８２】
例えば、マクロ基地局ＭｅＮＢは、最も良い測定値を有するスモールセルＳのユーザ端末ＵＥの数又は／及びトラヒックが所定閾値を上回る場合、２番目以降の測定値を有するスモールセルＳを選択してもよい。
【００８３】
マクロ基地局ＭｅＮＢは、スモールセルＳを選択すると、「RRC  Reconfiguration」をユーザ端末ＵＥに対して送信する（ステップＳ１０５）。「RRC  Reconfiguration」は、選択されたスモールセルＳに接続することを指示する指示情報であり、当該スモールセルＳの識別情報を含む。
【００８４】
なお、スモール基地局ＳｅＮＢ１−ＳｅＮＢ６のいずれかが制御局として動作する場合、図１０のステップＳ１０３において、ユーザ端末ＵＥは、制御局として動作するスモール基地局ＳｅＮＢに対して、測定報告を送信してもよい。この場合、制御局として動作するスモール基地局が、上述のセルを選択する制御を行ってもよい。
【００８５】
（無線通信システムの構成）
以下、本実施の形態に係る無線通信システムについて、詳細に説明する。この無線通信システムでは、上述の無線通信方法が適用される。
【００８６】
図１１は、本実施の形態に係る無線通信システムの概略構成図である。図１１に示すように、無線通信システム１は、マクロセルＣ１を形成するマクロ基地局１１と、マクロセルＣ１内に配置され、マクロセルＣ１よりも狭いスモールセルＣ２を形成するスモール基地局１２ａ及び１２ｂとを備えている。また、マクロセルＣ１及び各スモールセルＣ２には、ユーザ端末２０が配置されている。なお、マクロセルＣ１（マクロ基地局１１）、スモールセルＣ２（スモール基地局１２）、ユーザ端末２０の数は図１１に示すものに限られない。
【００８７】
また、マクロセルＣ１及び各スモールセルＣ２には、ユーザ端末２０が配置されている。ユーザ端末２０は、マクロ基地局１１及び／又はスモール基地局１２と無線通信可能に構成されている。また、ユーザ端末２０は、各スモールセルＣ２で用いられるコンポーネントキャリアを統合して（キャリアアグリゲーション）、複数のスモール基地局１２と通信できる。或いは、ユーザ端末２０は、マクロセルＣ１、スモールセルＣ２でそれぞれ用いられるコンポーネントキャリアを統合して、マクロ基地局１１及びスモール基地局１２と通信できる。
【００８８】
ユーザ端末２０とマクロ基地局１１との間は、相対的に低い周波数帯域（例えば、２ＧＨｚ）のキャリアを用いて通信が行なわれる。一方、ユーザ端末２０とスモール基地局１２との間は、相対的に高い周波数帯域（例えば、３．５ＧＨｚなど）のキャリアが用いられるが、これに限られない。マクロ基地局１１とスモール基地局１２とで同一の周波数帯域が用いられてもよい。
【００８９】
また、マクロ基地局１１と各スモール基地局１２とは、Ｘ２インターフェースなどの相対的に低速（中遅延）の回線（Non-Ideal  backhaul）で接続されてもよいし、光ファイバなどの相対的に高速（低遅延）の回線（Ideal  backhaul）で接続されてもよいし、無線接続されてもよい。また、スモール基地局１２間も、Ｘ２インターフェースなどの相対的に低速（中遅延）の回線（Non-Ideal  backhaul）で接続されてもよいし、光ファイバなどの相対的に高速（低遅延）の回線（Ideal  backhaul）で接続されてもよいし、無線接続されてもよい。
【００９０】
マクロ基地局１１及び各スモール基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【００９１】
なお、マクロ基地局１１は、相対的に広いカバレッジを有する無線基地局であり、ｅＮｏｄｅＢ（ｅＮＢ）、無線基地局、送信ポイント（transmission  point）などと呼ばれてもよい。スモール基地局１２は、局所的なカバレッジを有する無線基地局であり、ＲＲＨ（Remote  Radio  Head）、ピコ基地局、フェムト基地局、Ｈｏｍｅ  ｅＮｏｄｅＢ、送信ポイント、ｅＮｏｄｅＢ（ｅＮＢ）などと呼ばれてもよい。ユーザ端末２０は、ＬＴＥ、ＬＴＥ−Ａなどの各種通信方式に対応した端末であり、移動通信端末だけでなく固定通信端末を含んでよい。
【００９２】
また、無線通信システム１では、下りリンクの通信チャネルとして、各ユーザ端末２０で共有される下り共有チャネル（ＰＤＳＣＨ：Physical  Downlink  Shared  Channel）と、下り制御チャネル（ＰＤＣＣＨ：Physical  Downlink  Control  Channel）、ＥＰＤＣＣＨ：Enhanced  Physical  Downlink  Control  Channel）、ＰＣＦＩＣＨ、ＰＨＩＣＨ、報知チャネル（ＰＢＣＨ）などが用いられる。ＰＤＳＣＨにより、ユーザデータや上位レイヤ制御情報が伝送される。ＰＤＣＣＨ、ＥＰＤＣＣＨにより、下り制御情報（ＤＣＩ）が伝送される。
【００９３】
また、無線通信システム１では、上りリンクの通信チャネルとして、各ユーザ端末２０で共有される各ユーザ端末２０で共有される上り共有チャネル（ＰＵＳＣＨ：Physical  Uplink  Shared  Channel）と、上り制御チャネル（ＰＵＣＣＨ：Physical  Uplink  Control  Channel）などが用いられる。ＰＵＳＣＨにより、ユーザデータや上位レイヤ制御情報が伝送される。また、ＰＵＣＣＨにより、下りリンクの無線品質情報（ＣＱＩ：Channel  Quality  Indicator）や、送達確認情報（ＡＣＫ/ＮＡＣＫ）等が伝送される。
【００９４】
図１２−１４を参照し、ユーザ端末２０、マクロ基地局１１、スモール基地局１２の構成を説明する。なお、ユーザ端末２０、マクロ基地局１１、スモール基地局１２は、それぞれ、通信インターフェース、プロセッサ、メモリ、送受信回路などを含むハードウェアを有しており、メモリには、プロセッサによって実行されるソフトウェアモジュールが記憶されている。図１２−１４に示す構成は、上述のハードウェアによって実現されてもよいし、プロセッサによって実行されるソフトウェアモジュールによって実現されてもよいし、両者の組み合わせによって実現されてもよい。
【００９５】
図１２は、本実施の形態に係るユーザ端末２０の構成を示すブロック図である。図１２に示すように、ユーザ端末２０は、受信部２０１、測定部２０２、判定部２０３、送信部２０４を具備する。
【００９６】
受信部２０１は、マクロ基地局１１又は／及びスモール基地局１２からの下り信号（下りデータ信号、下り制御信号、下り参照信号、報知信号など）を受信する。また、受信部２０１は、マクロ基地局１１又は／及びスモール基地局１２からの上位レイヤ制御情報を受信する。上位レイヤ制御情報は、ＲＲＣ（Radio  Resource  Control）シグナリング又はＭＡＣシグナリングされる制御情報である。上位レイヤ制御情報は、例えば、「RRC  Reconfiguration」メッセージを含んでもよい。
【００９７】
具体的には、受信部２０１は、各スモール基地局１２からの測定用参照信号を受信する。上述のように、測定用参照信号は、スモールセルＣ２間で互いに直交又は擬似直交する参照信号であり、例えば、チャネル状態測定用参照信号（ＣＳＩ−ＲＳや、ディスカバリー信号などである。
【００９８】
測定部２０２は、各スモールセルＣ２における無線品質を測定する。具体的には、測定部２０２は、受信部２０１で受信された測定用参照信号を用いて、各スモールセルＣ２における無線品質を測定する。上述のように、無線品質は、測定用参照信号の受信電力（例えば、ＲＳＲＰ）であってもよいし、測定用参照信号の受信品質（例えば、ＲＳＲＱ、ＳＩＮＲ、ＳＮＲなど）、あるいは、パスロスであってもよい。
【００９９】
判定部２０３は、測定報告の報告条件が満たされるか否かを判定する。具体的には、複数のスモールセルＣ２における無線品質の測定値に基づく比（メトリック）と所定閾値との比較結果に基づいて定められる報告条件が、満たされるか否かを判定する。
【０１００】
ここで、報告条件は、複数のスモールセルＣ２における無線品質の測定値のうち、最も良い測定値と２番目以降の測定値の和との比（メトリック＃０）と、所定閾値と、の比較結果に基づいて定められてもよい（第１態様）。
【０１０１】
また、報告条件は、複数のスモールセルＣ２における無線品質の測定値のうち、ｉ（ｉ≧２）番目に良い測定値とｉ＋１番目以降の測定値の和との比（メトリック＃１ｉ）と、所定閾値と、の比較結果に基づいて定められてもよい（第２態様）。なお、ｉ＝２、３の場合、メトリック＃１２、＃１３は、メトリック＃１、＃１＋と呼ばれてもよい。
【０１０２】
また、報告条件は、複数のスモールセルＣ２における無線品質の測定値のうち、ｉ（ｉ≧２）番目に良い測定値と最も良い測定値との比（メトリック＃２ｉ）と、所定閾値と、の比較結果に基づいて定められてもよい（第３態様）。なお、ｉ＝２、３の場合、メトリック＃２２、＃２３は、メトリック＃２、＃２＋と呼ばれてもよい。
【０１０３】
また、報告条件は、複数のスモールセルＣ２における無線品質の測定値のうち、ｉ（ｉ≧２）番目に良い測定値と当該複数のスモールセルＣ２の測定値の和との比（メトリック＃３ｉ）と、所定閾値と、の比較結果に基づいて定められてもよい（第４態様）。なお、ｉ＝２、３の場合、メトリック＃３２、＃３３は、メトリック＃３、＃３＋と呼ばれてもよい。
【０１０４】
また、報告条件は、複数のスモールセルＣ２における無線品質の測定値のうち、ｉ（ｉ≧２）番目以降の測定値の和とｉ＋１番目以降の測定値の和との比（メトリック＃４ｉ）と、所定閾値と、の比較結果に基づいて定められてもよい（第５態様）。なお、ｉ＝２、３の場合、メトリック＃４２、＃４３は、メトリック＃４、＃４＋と呼ばれてもよい。
【０１０５】
送信部２０４は、マクロ基地局１１又は／及びスモール基地局１２に対して上り信号（上りデータ信号、上り制御信号、上り参照信号など）を送信する。また、送信部２０４は、マクロ基地局１１又は／及びスモール基地局１２に対して、上位レイヤ制御情報を送信する。
【０１０６】
具体的には、送信部２０４は、判定部２０３によって報告条件が満たされると判定される場合、マクロ基地局１１に対して、測定報告（Measurement  Report）を送信する。また、送信部２０４は、ＲＲＣシグナリングなどの上位レイヤシグナリングを用いて、上位レイヤ制御情報として、測定報告を送信してもよい。なお、測定報告には、測定部２０２による複数のスモールセルＣ２における無線品質の測定値が含まれてもよい。
【０１０７】
図１３は、本実施の形態に係るマクロ基地局１１の構成図である。図１３に示すように、マクロ基地局１１は、受信部１１１、選択部１１２、送信部１１３、インターフェース部１１４を具備する。
【０１０８】
受信部１１１は、ユーザ端末２０からの上り信号（上りデータ信号、上り制御信号、上り参照信号など）を受信する。また、受信部１１１は、ユーザ端末２０からの上位レイヤ制御情報を受信する。
【０１０９】
具体的には、受信部１１１は、報告条件が満たされたユーザ端末２０から、上述の測定報告を受信する。また、受信部１１１は、ＲＲＣシグナリングなどの上位レイヤシグナリングを用いて、上位レイヤ制御情報として、測定報告を受信してもよい。
【０１１０】
選択部１１２は、受信部１１１で受信された測定報告に基づいて、ユーザ端末２０が接続すべきスモールセルＣ２を選択する。具体的には、選択部１１２は、各スモールセルＣ２における無線品質の測定値、ユーザ端末２０の数、トラヒックなどの少なくとも一つに基づいて、ユーザ端末２０が接続すべきスモールセルＣ２を選択する。
【０１１１】
送信部１１３は、下り信号（下りデータ信号、下り制御信号、下り参照信号、報知信号など）を送信する。また、送信部１１３は、ユーザ端末２０に対して、上位レイヤ制御情報を送信する。
【０１１２】
具体的には、送信部１１３は、選択部１１２によってスモールセルＣ２が選択されると、「RRC  Reconfiguration」をユーザ端末ＵＥに対して送信する。「RRC  Reconfiguration」は、選択されたスモールセルＣ２に接続するようにユーザ端末２０に指示する指示情報であり、当該スモールセルＣ２の識別情報を含む。
【０１１３】
インターフェース部１１４は、他のマクロ基地局１１又は／及びスモール基地局１２と、あるいは、上位局装置３０と、信号を送受信する。
【０１１４】
図１４は、本実施の形態に係るスモール基地局１２の構成図である。図１４に示すように、スモール基地局１２は、受信部１２１、送信部１２２、インターフェース部１２３を具備する。なお、スモール基地局１２が制御局として動作する場合（ユーザ端末２０からの測定報告を受信する場合）、スモール基地局１２は、マクロ基地局１１が具備する選択部１１３を具備してもよい。
【０１１５】
受信部１２１は、ユーザ端末２０からの上り信号（上りデータ信号、上り制御信号、上り参照信号など）を受信する。また、受信部１２１は、ユーザ端末２０からの上位レイヤ制御情報を受信してもよい。
【０１１６】
送信部１２２は、ユーザ端末２０に対する下り信号（下りデータ信号、下り制御信号、下り参照信号など）を送信する。また、送信部１２２は、ユーザ端末２０に対して上位レイヤ制御情報を送信してもよい。
【０１１７】
具体的には、送信部１２２は、スモールセルＣ２間で互いに直交又は擬似直交する測定用参照信号を送信する。測定用参照信号は、例えば、チャネル状態測定用参照信号（ＣＳＩ−ＲＳや、ディスカバリー信号などであってもよい。
【０１１８】
インターフェース部１２３は、マクロ基地局１１又は／及び他のスモール基地局１２と、あるいは、上位局装置３０と、信号を送受信する。尚、上述の例においては、Measurement  reportや、スモールセルＣ２を選択することを指示する信号（RRC  Reconfiguration）として、ＲＲＣレイヤの制御信号が用いられているが、代わりに、ＭＡＣレイヤの制御信号や物理レイヤの制御信号が用いられてもよい。
【０１１９】
無線通信システム１では、複数のスモールセルＣ２における無線品質の測定値そのものと所定閾値との比較結果ではなく、当該測定値に基づく比と所定閾値との比較結果に基づいて、報告条件が定められる。これにより、ユーザ端末ＵＥは、無線品質が最も良いスモールセルＣ２の隣接セルにユーザ端末ＵＥを接続させる場合に適したタイミングで測定報告を送信できる。この結果、スモールセルＣ２間のロードバランスを図ることができる。
【０１２０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１２１】
１…無線通信システム
１１…マクロ基地局
１２…スモール基地局
２０…ユーザ端末
３０…上位局装置
４０…コアネットワーク
１１１…受信部
１１２…選択部
１１３…送信部
１１４…インターフェース部
１２１…受信部
１２２…送信部
１２３…インターフェース部
２０１…受信部
２０２…測定部
２０３…判定部
２０４…送信部
【図１】
2014187630.tif 000003
【図２】
2014187630.tif 000004
【図３】
2014187630.tif 000005
【図４】
2014187630.tif 000006
【図５】
2014187630.tif 000007
【図６】
2014187630.tif 000008
【図７】
2014187630.tif 000009
【図８】
2014187630.tif 000010
【図９】
2014187630.tif 000011
【図１０】
2014187630.tif 000012
【図１１】
2014187630.tif 000013
【図１２】
2014187630.tif 000014
【図１３】
2014187630.tif 000015
【図１４】
2014187630.tif 000016